(57)【要約】【課題】  レンジやグリルなどの調理器の側部に設けた引出し収納空間にあって収納スペースとしての充分な有効活用を図り得る調理台を提供する。【解決手段】  レンジやグリルなどの調理器２の側部に設けた引出し収納空間３に引出し４を配設してなる調理台である。引出し収納空間３の底部と引出し４の底面との間に引出し４を前後にスライド自在に支持するレール部材５を配設する。引出し収納空間３の一側部に垂直方向に回転自在にしたローラ７を配設する。引出し４の一側部の外面に内方に向けて凹設したガイド溝６にローラ７を走行自在に収容する。【選択図】        図１
2005230364.tif 000002
【特許請求の範囲】
【請求項１】
レンジやグリルなどの調理器の側部に設けた引出し収納空間に引出しを配設してなる調理台において、引出し収納空間の底部と引出しの底面との間に引出しを前後にスライド自在に支持するレール部材を配設し、引出し収納空間の一側部に垂直方向に回転自在にしたローラを配設し、引出しの一側部の外面に内方に向けて凹設したガイド溝にローラを走行自在に収容したことを特徴とする調理台。
【請求項２】
引出し収納空間の底部に前後に伸びる固定レールを配設すると共に、引出しの底部に前後に伸びる固定レールを固定し、両固定レールにスライド自在に係合する中間レールを介在させて両固定レールをスライド自在に連結してレール部材を形成したことを特徴とする請求項１記載の調理台。
【請求項３】
引出し収納空間の前方開口縁にローラを配設し、引出しを引出し収納空間内に収納したとき引出しの表面板の裏面に上記ローラを当接させたことを特徴とする請求項１記載の調理台。
【請求項４】
引出しの左右の側壁上縁に引出しの前後に亙って突条を対向方向に突出させて形成し、引出し内の収納空間を前後に分け隔てる仕切部材の左右両端部に各係合凹部を形成し、各係合凹部を内方から各突条に着脱自在に係合させて仕切部材を引出し内に配置したことを特徴とする請求項１記載の調理台。
【発明の詳細な説明】
【技術分野】
【０００１】
本発明は、レンジやグリルなどの調理器の側部に設けた引出し収納空間に引出しを配設してなる調理台に関するものである。
【背景技術】
【０００２】
従来から、レンジやグリルなどの調理器を埋設した調理台では、調理器に隣接する側方に幅狭の残余スペースが残ることが多々あるが、この残余スペースに引出しを配設して収納スペースとして有効活用することがしばしば行われている。そして、この引出しにはたとえば図６のような引出し４が一般に用いられている（たとえば、特許文献１参照）。
【０００３】
図６のものは、調理台本体１内の引出し収納空間３の左右の両側部と引出し４の左右の両側壁との間に引出し４を前後にスライド自在に支持するレール部材５を配置したものである。詳しくは、引出し収納空間３の左右の両側部に固定レール２１を前後に亙って配設し、引出し４の左右の両側壁上縁に固定レール２２を前後に亙って配設し、引出し４の固定レール２２の後端部に垂直方向に回転自在なローラ２４を配設し、引出し収納空間３の固定レール２１の前端部に垂直方向に回転自在なローラ２３を配設し、ローラ２４を固定レール２１に転動させ且つローラ２３を固定レール２２に転動させて両固定レール２１，２２を摺動自在に重ねて配置することで、両固定レール２１，２２に引出し４を支持させて引出し４を引出し収納空間３に前後にスライド自在に配置させている。しかしながら、上記構造のレール部材５によっては、引出し４を引出し収納空間３から完全に引出すことはできないので、使い勝手が悪いといった問題がある。
【０００４】
しかして、引出し４の使い勝手の向上を図って、引出し４を引出し収納空間３から完全に引出すためのレール部材を用いることも多々ある。特に図示はしないが、このレール部材は、具体的には、引出し収納空間３の左右の両側部に前後に伸びる固定レールを配設すると共に、引出し４の左右の両側壁に前後に伸びる固定レールを固定し、両固定レールにスライド自在に係合する中間レールを介在させて両固定レールをスライド自在に連結して構成されたもので、一般にスライドレール装置と称されるものである。しかしながら、このレール部材にあっては、多数のレール（一対の固定レール及び中間レール）を側方に重ねて配置させる構造のために側方に厚み寸法を必要とするものであるから、相対的に引出し収納空間３内での引出し４の幅寸法を大きく採ることができないものであり、つまり、元来、狭小スペースとなり易い引出し収納空間３を収納スペースとして充分に有効活用できるものではない、という問題があった。
【特許文献１】特開平１０−１１７８６９号公報
【発明の開示】
【発明が解決しようとする課題】
【０００５】
本発明は上記の従来の問題点に鑑みて発明したものであって、レンジやグリルなどの調理器の側部に設けた引出し収納空間にあって収納スペースとしての充分な有効活用を図り得る調理台を提供することを課題とするものである。
【課題を解決するための手段】
【０００６】
上記課題を解決するために本発明の請求項１に係る調理台は、レンジやグリルなどの調理器２の側部に設けた引出し収納空間３に引出し４を配設してなる調理台において、引出し収納空間３の底部と引出し４の底面との間に引出し４を前後にスライド自在に支持するレール部材５を配設し、引出し収納空間３の一側部に垂直方向に回転自在にしたローラ７を配設し、引出し４の一側部の外面に内方に向けて凹設したガイド溝６にローラ７を走行自在に収容したことを特徴とする。これによると、引出し収納空間３の一側部のローラ７を引出し４の側壁のガイド溝６に走行自在に収容して引出し４のガタツキを抑制させた状態で、且つ、引出し４の下方に配置したレール部材５によって前後にスライド自在にして引出し４を支持させた状態で、引出し４を引出し収納空間３内に安定的に配置できるのであり、この引出し収納空間３への引出し４の配設構造にあって引出し４の側方には、引出し４を支持するレール部材５は無く、引出し４のがたつきを抑制するために係合したローラ７とガイド溝６とを有するだけであるから、引出し４の幅寸法を引出し収納空間３の幅寸法の略幅一杯に広く採ることができるのであって、引出し収納空間３を収納スペースとして充分に有効活用することができる。
【０００７】
また、請求項２に係る調理台は、請求項１において、引出し収納空間３の底部に前後に伸びる固定レール８を配設すると共に、引出し４の底部に前後に伸びる固定レール９を固定し、両固定レール８，９にスライド自在に係合する中間レール１０を介在させて両固定レール８，９をスライド自在に連結してレール部材５を形成したことを特徴とする。これによると、引出し４の幅寸法を引出し収納空間３の幅寸法の略幅一杯に広く採ることを何ら妨げることなく、引出し４を引出し収納空間３から完全に引出すことができることから引出し４の使い勝手を向上できる。
【０００８】
また、請求項３に係る調理台は、請求項１において、引出し収納空間３の前方開口縁にローラ７を配設し、引出し４を引出し収納空間３内に収納したとき引出し４の前面板４ｂの裏面に上記ローラ７を当接させたことを特徴とする。これによると、引出し４のがたつきを抑制するためのローラ７を戸当りとして利用でき、つまり部材点数を抑制して引出し４の構成の簡易化を図ることができる。
【０００９】
また、請求項４に係る調理台は、請求項１において、引出し４の左右の側壁上縁に引出し４の前後に亙って突条１１を対向方向に突出させて形成し、引出し４内の収納空間を前後に分け隔てる仕切部材１２の左右両端部に各係合凹部１３を形成し、各係合凹部１３を内方から各突条１１に着脱自在に係合させて仕切部材１２を引出し４内に配置したことを特徴とする。これによると、引出し４の対向する一対の突条１１に仕切部材１２の左右の各係合凹部１３を引出し４の内方から係合させ、引出し４の一対の側壁間に突っぱねて架設されるように仕切部材１２を引出し４内に配設することができ、つまり、突条１１に係合した係合凹部１３が引出し４から側方に飛び出てしまうことはなくて、引出し４の幅寸法を引出し収納空間３の幅寸法の略幅一杯に広く採ることを何ら妨げることなく、仕切部材１２による引出し４の使い勝手の向上を図ることができる。
【発明の効果】
【００１０】
本発明は、引出しのガタツキを抑制させた状態で引出しを引出し収納空間内に安定的に配置できるのであり、この引出し収納空間への引出しの配設構造にあって引出しの側方には、引出しを支持するレール部材は無く、引出しのがたつきを抑制するために係合したローラとガイド溝とを有するだけであるから、引出しの幅寸法を引出し収納空間の幅寸法の略幅一杯に広く採ることができるのであって、引出し収納空間を収納スペースとして充分に有効活用することができる。
【発明を実施するための最良の形態】
【００１１】
図１〜４には、本発明の実施形態の例を示す。本例の調理台は、図２のように、調理台本体１の上部にレンジとグリルとが一体とされた調理器２を配設し、調理台本体１内の調理器２の側方空間を引出し収納空間３として引出し４を配置して構成されたものである。ここで、図示はしないが、調理台本体１はキャビネットで構成し、調理器２はキャビネット埋込み型のもので構成しても良い。この引出し収納空間３となる調理台本体１内の調理器２の側方空間は前方開口を有する空間であるが、調理台本体１内の調理器配設空間における残余空間であるからしばしば狭小空間となり易い。本例は、引出し４の引出し収納空間３への収納構造に特徴を有し、狭小空間となる引出し収納空間３でも収納スペースとして充分な有効活用を図り得るようにされている。
【００１２】
詳しくは、引出し４は、図２のように、上方が開口せる矩形容器状の収納箱４ａの前面に前面板４ｂを取り付けて形成されている。引出し４の左右の側壁のうちの調理器２側の側壁には前後に亙ってガイド溝６が水平に形成されている。具体的に、ガイド溝６は引出し４の側壁の外面から内方に向けて穿設された凹溝である。
【００１３】
一方、引出し収納空間３には、図３のように、調理器２側の側部における前方開口縁の部位に垂直方向に回転自在なローラ７が配設されている。具体的に、調理台本体１のカウンター２０の前縁には下方に開口せる断面リップ付きコ字枠状の框体１４が配設されており、この框体１４が引出し収納空間３の前方開口縁の上縁部分を構成している。引出し収納空間３の前方開口縁における調理器２側の側縁部分には框体１４に取り付けた縁部材１５が配設される。縁部材１５は横片部１５ａの端部から縦片部１５ｂを垂下してなるＬ字状部材であり、横片部１５ａには水平回転自在に一対の引掛け片１６がネジ１７にて螺着されている。引掛け片１６は略矩形の水平板であって、その幅寸法は框体１４の一対のリップ片１４ａ間にある開口幅よりも短く、長さ寸法は上記開口幅よりも長く形成されている。この縁部材１５は、図４のように、引掛け片１６を一対のリップ片１４ａ間の開口から框体１４の内部に挿入した後に引掛け片１６を水平回転させて一対のリップ片１４ａに引掛け、その後ネジ１７を廻して引掛け片１６をリップ片１４ａを挟んだ状態で縁部材１５に向けて締め付けることで、框体１４から縦片部１５ｂを垂下させるようにして簡単に取り付けられる。ここで、ローラ７は縁部材１５の縦片部１５ｂから内方に突出した軸部の先端に枢支されており、縁部材１５の框体１４への簡単な取り付けによって所定位置への簡単なローラ７の配設が可能にされている。
【００１４】
引出し４は引出し収納空間３に開閉自在に配置されるが、図１のように、この引出し４の前後方向の摺動は引出し収納空間３の底部と引出し４の底面との間に配設したレール部材５によって行われる。本例のレール部材５としては、引出し４の底部に配設した固定レール９と、引出し収納空間３の底部に配設した固定レール８と、両固定レール８，９にスライド自在に係合する中間レール１０とで形成されたスライドレール式のものが採用されている。
【００１５】
詳しくは、引出し４の底面に配設する固定レール９は、引出し４の前後に略亙るように形成されており、引出し４の底面の中央付近における調理器２と反対側に偏った位置に取り付けられている。なお、本例の引出し４の底面には前後に亙る取付突片１８が下方に突設され、固定レール９における前後の適所に係合片１９が上方に向けて突設されており、係合片１９と取付突片１８とを係合させることで固定レールが引出し４の底面に簡単に取付できるようにされている。また、引出し収納空間３の底部に配設する固定レール８は、引出し収納空間３の前後に略亙るように形成されており、引出し収納空間３の調理器２と反対側の側部から引出し収納空間３の内方に向けて突出するように取付けられている。なお、引出し４の底面の固定レール９は引出し収納空間３の底部の固定レール８の上方位置に重なるように配置されている。また、中間レール１０は上記両固定レール８，９に摺動自在に係合した状態で配置されるもので、両固定レール８，９と略同様の長さに形成されている。このスライドレール式のレール部材５にあっては、引出し４を引出し収納空間３から前方に引き出したとき、引出し収納空間３の固定レール８に中間レール１０の後部分が係合した状態で且つ引出し４の固定レール９に係合した状態にある中間レール１０の前部分が引出し収納空間３から突出されるのであり、引出し４の全ての部位を引出し収納空間３の前方に引き出すことができて引出し４の使い勝手の向上が図られている。
【００１６】
なお、この引出し収納空間３の底部と引出し４の底面との間に配設したレール部材５によると、引出し４の荷重を下方から支持することとなるが、引出し４は微少にがたつく恐れがある。しかして、引出し収納空間３に引出し４を配置した際には、引出し４の一側方の側壁にあるガイド溝６に引出し収納空間３の側部に配設したローラ７を走行自在に収容させており、引出し４のがたつきの抑制が図られているのである。更に言うと、引出し４の底面に取付けた固定レール９は底面の調理器２と反対側に偏った位置にあるので、構造的に引出し４は比較的調理器２側でがたつきが生じ易くなっているのであるが、この調理器２側でローラ７のガイド溝６への係合が為されていることから、引出し４のがたつきの抑制が有効に図られているのである。
【００１７】
また、引出し４を引出し収納空間３内に収納したときには、ローラ７が引出し４の前面板４ｂの裏面に当接するようにされている。つまり、引出し４のがたつきを抑制するためのローラ７を戸当りとして利用しているのであり、つまり部材点数を抑制して引出し４の構成の簡易化が図られているのである。更に言うと、上記ローラ７はその外周を軟質樹脂材で構成させるのも好ましく、この場合、引出し４がローラ７に当接した際の衝撃を吸収したり衝突音を低減できる効果が期待できる。
【００１８】
上述したように、引出し収納空間３の一側部のローラ７を引出し４の側壁のガイド溝６に走行自在に収容して引出し４のガタツキを抑制させた状態で、且つ、引出し４の下方に配置したレール部材５によって前後にスライド自在にして引出し４の荷重を支持させた状態で、引出し４は引出し収納空間３内に安定的に配置されている。つまり、この引出し収納空間３への引出し４の配設構造にあって引出し４の側方には、引出し４のがたつきを抑制するために係合させたローラ７とガイド溝６とを有するものの、固定レール８，９や中間レール１０が重ねて配置されてこの重なり方向の寸法が比較的大きくなるスライドレールなどを採用するレール部材５を無くすることができたものであって、したがって、従来レール部材５の占める幅寸法だけ小さくすることを余儀なくされていた引出し４の幅寸法を引出し収納空間３の幅寸法の略幅一杯に広く採るようにでき、引出し収納空間３を収納スペースとして充分に有効活用できるようにされているのである。
【００１９】
ところで、引出し４には、図２のように、引出し４の収納箱４ａ内の収納空間を前後に分け隔てる仕切部材１２を配置するのが、引出し４の使い勝手の観点から好ましい。そして、本例では仕切部材１２の引出し４への付設にあっても、引出し４を引出し収納空間３の幅寸法に略一杯に形成することに妨げとならないような工夫が施されている。具体的には、図５のように、引出し４の収納箱４ａにおける左右両側壁の各上縁には、前後に亙って縦断面円状の突条１１が対向方向に突出されている。一方、本例で用いる仕切部材１２の左右両端部には上記突条１１に嵌合する係合凹部１３が各々形成されている。詳しくは係合凹部１３は外方に向けて開口せる縦断面Ｃ字状に形成されている。そして、仕切部材１２を引出し４に付設する際には、仕切部材１２の各係合凹部１３を収納箱４ａの内方から各突条１１に着脱自在に係合させて行わせるのである。このように、引出し４の対向する一対の突条１１に仕切部材１２の左右の各係合凹部１３を引出し４の内方から係合させ、引出し４の一対の側壁間に突っぱねて架設されるようにして仕切部材１２を引出し４内に配設させたことで、突条１１に係合した係合凹部１３が引出し４から側方に飛び出てしまうこともなくて仕切部材１２を収納箱４ａ内に完全にとどまるようにされるのであって、引出し４を引出し収納空間３の幅寸法に略一杯に形成することに妨げとならないようにされているのである。
【００２０】
なお、図示はしないが、上記レール部材５で採用したスライドレールにあっては、従来一般に採用されているように、各レール部材５の間に摺動滑性を向上させるためにコロなどの摺動補助材を介装しても良い。ここで、摺動補助材は各レール部材５の間に介装されるものであるから、スライドレールであるレール部材５における各レールの重なり方向への寸法を大きくするものであるが、本例のレール部材５は引出し４の下方位置に配設されているから引出し４の幅寸法への影響は無く、同様に引出し４の幅寸法を引出し収納空間３の幅寸法一杯に設定することができて、充分な収納スペースを採ることができるのは言うまでもない。
【図面の簡単な説明】
【００２１】
【図１】本発明の実施の形態の例の引出しの前面板を省略した正面図である。
【図２】同上の調理台全体の斜視図である。
【図３】同上の引出し収納空間の前方開口付近の分解斜視図である。
【図４】（ａ）（ｂ）は同上の縁部材の框体への取り付けを順に説明する説明図である。
【図５】同上の仕切部材を付設した引出しの要部の縦断面図である。
【図６】従来技術の例の斜視図である。
【符号の説明】
【００２２】
１  調理台本体
２  調理器
３  引出し収納空間
４  引出し
４ｂ  前面板
５  レール部材
６  ガイド溝
７  ローラ
１１  突条
１２  仕切部材
１３  係合凹部
【図１】
2005230364.tif 000003
【図２】
2005230364.tif 000004
【図３】
2005230364.tif 000005
【図４】
2005230364.tif 000006
【図５】
2005230364.tif 000007
【図６】
2005230364.tif 000008